(57)【特許請求の範囲】
【請求項１】
バッテリを充電するバッテリ充電装置において、
夜間電力を蓄電する蓄電手段を備え、
バッテリ充電装置は、前記蓄電手段に蓄電された夜間電力により前記バッテリを充電する機能を有するとともに、前記バッテリの電力を検出することにより前記バッテリの充電状態を検出し、その検出結果に応じてバッテリを前記蓄電手段あるいは商用電源に基づいて充電させるかを決定することを特徴とするバッテリ充電装置。
【請求項２】
前記蓄電手段は深夜電力を蓄電し、
深夜から昼間に致るまでは、バッテリ充電装置は前記商用電源を用いてバッテリを充電することを特徴とする請求項１記載のバッテリ充電装置。
【発明の詳細な説明】
【０００１】
【発明の属する技術分野】
本発明は、電気自動車、電動アシスト自転車等の電動車両のバッテリを充電するバッテリ充電装置に関する。
【０００２】
【従来の技術】
特開平５−２２７６６９号公報には、電気自動車用のバッテリ充電装置が記載されている。
ここで、バッテリの使用量に対して料金を課金する場合、使用量に相当する電力料金を課金することになる。
【０００３】
【発明が解決しようとする課題】
昼間に電力を蓄電した蓄電手段を用いてバッテリを充電する構成では、昼間の消費電力の需要が大きいことにより、その料金も高いため、バッテリの充電の料金も高くなってしまうばかりか、発電所の電力供給の観点からも好ましくない。
【０００４】
【課題を解決するための手段】
請求項１のバッテリ充電装置では、夜間電力を蓄電する蓄電手段を備え、バッテリ充電装置は、蓄電手段に蓄電された夜間電力によりバッテリを充電する機能を有するとともに、バッテリの電力を検出することによりバッテリの充電状態を検出し、その検出結果に応じてバッテリを蓄電手段あるいは商用電源に基づいて充電させるかを決定することを特徴とする。
【０００５】
バッテリ充電装置は、夜間電力を用いて蓄電手段に蓄電し、その電力を使ってバッテリを充電するので、夜間電力を昼間に利用することができる上、昼間の電力消費を抑えることができる。
更に、夜間電力料金が昼間に比べて安いことから、利用者又はバッテリ・レンタルシステムのレンタル者への課金も安くすることができる。夜間電力を蓄電する一方で、返却されたバッテリも夜間に充電するようにしてもよい。なお、昼間はレンタル用のバッテリが所定数以下の場合にのみ充電するようにしてもよい。
更に、バッテリの充電状態を検出し、検出した充電状態に応じて蓄電手段と商用電源のいずれかにより当該バッテリを充分に充電することができる。
【０００８】
請求項２では、請求項１記載のバッテリ充電装置において、蓄電手段は深夜電力を蓄電し、深夜から昼間に致るまでは、バッテリ充電装置は商用電源を用いてバッテリを充電することを特徴とする。
【０００９】
蓄電手段に蓄電された深夜電力が、昼間に致る前にバッテリ充電に用いられて夜間に消費されることを防止することができる。
【００１０】
【発明の実施の形態】
以下、本発明の実施の形態を添付図面に基づいて説明する。
図１は、バッテリ・レンタルシステムの簡易構成図である。
【００１１】
このバッテリ・レンタルシステムは、無人自動バッテリ・レンタル装置（バッテリ交換装置）１と、無人自動バッテリ・レンタル装置１を通信回線２を介して集中管理を行う中央管理装置３と、によりネットワークを用いて構成する。
【００１２】
バッテリ・レンタルシステムは、電動アシスト自転車等の電動車両の保有台数や地域の状態および電動車両の走行距離等に基づいて、多くの地域に無人自動バッテリ・レンタル装置１を複数配置して利用者（レンタル者）の便宜を図り、また利用者が本システムを利用する場合に、例えばバッテリ・レンタルシステム会社との間で、直接または代理店等とバッテリ・レンタルシステム利用に関する契約を行う。
電動車両のレンタル又はリースの契約をもバッテリ・レンタルシステム会社と行うシステムとしてもよい。
【００１３】
利用者は、バッテリ・レンタルシステム会社から利用者個人または家族、会社等で１つの利用者登録番号（レンタルＩＤ）の設定を受け、このレンタルＩＤに対応してバッテリ識別番号を中央管理装置に記憶させ、当該バッテリを貸し出した後、無人自動バッテリ・レンタル装置１を利用してバッテリのレンタルサービスを受けることができる。
【００１４】
利用者は、無人自動バッテリ・レンタル装置１を利用する時には、無人自動バッテリ・レンタル装置１のバッテリ返却用格納部１５にバッテリ７を挿入し、無人自動バッテリ・レンタル装置１に当該バッテリの識別番号を認識させる。
【００１５】
無人自動バッテリ・レンタル装置１は、識別番号を有するバッテリはレンタル用バッテリと認識し、利用する手順を利用者に伝える。
【００１６】
次に、無人自動バッテリ・レンタル装置１は、使用済みのバッテリの返却を確認すると、利用者にフル充電済み又は利用可能な容量を持つバッテリの格納位置を知らせる。
【００１７】
続いて、無人自動バッテリ・レンタル装置１は、レンタルサービスするバッテリの識別番号及び残量、並びに返却された使用済みバッテリの識別番号及び固有情報（残量（貸出し時残量、現在の残量）、充放電回数、使用回数等）を読み取り、使用料金を貸出し時の残量から現在の残量を引いて算出し、その際貸し出すバッテリに貸出し時のバッテリ残量を書き込んで記憶させるとともに利用者に報知した後、利用者にバッテリを貸し出す。
【００１８】
また、無人自動バッテリ・レンタル装置１は、返却されたバッテリの返却日時、使用料金や、充放電回数、使用回数等の履歴やバッテリ識別番号および貸出しバッテリのレンタル日時、識別番号、貸出し時の残量等のデータをモデム等の伝送手段によって電話回線や専用回線等の通信回線２を介して中央管理装置３と双方向の伝送をするか、バッテリ内に設けた通信手段７Ｔを動作させ、無人自動バッテリ・レンタル装置１を介して通信回線２を経由して中央管理装置３に伝送する。
【００１９】
中央管理装置３は、各地域の複数の無人自動バッテリ・レンタル装置１と通信回線２で接続し、コンピュータにより集中管理を行い、無人自動バッテリ・レンタル装置１から利用者のレンタル情報とバッテリの固有情報を管理する。
具体的には、レンタル者データとして、現在貸し出されているバッテリの識別番号を記憶しており、無人自動バッテリ・レンタル装置１に当該識別番号のバッテリが返却されたら、その使用量を記憶し、更に新たに貸し出されたバッテリの識別番号と、その時のバッテリ残量を記憶する。バッテリの固有情報としては、充放電回数、使用回数等を記憶している。
中央管理装置３は、バッテリについてのデータをバッテリ・レンタルシステム会社のバッテリメンテナンス部署へ知らせ、また利用者へは定期間毎に使用料金を知らせ、また使用料金の徴収を銀行等を通して行う。
【００２０】
図２は、無人自動バッテリ・レンタル装置の簡易構成図である。
無人自動バッテリ・レンタル装置１は、レンタル用バッテリ７と、格納部１５と、格納部表示灯１５ａと、警報装置１６と、ディスプレイ装置１７と、可聴表示器１７ａと、照明機器２２と、を備えて構成される。
人が来たら動作するようにされており、挨拶等を行う人検知センサ２０を備える。
この無人自動バッテリ・レンタル装置１の動作を、図５〜図７を参照しつつ説明する。
【００２１】
人が無人自動バッテリ・レンタル装置１の前に立つと人検知センサ２０がこれを検出し（状態Ｓ１）、返却用格納部１５の出入用のロックを解除し（状態Ｓ２）、ディスプレイ装置１７と可聴表示器１７ａによりガイダンスを開始する（状態Ｓ３）。
例えば、「いらっしゃいませ。使用済みのバッテリを１番目のベイ（又は格納部）に入れて下さい。」という音声案内を行う。
【００２２】
無人自動バッテリ・レンタル装置１は、バッテリ返却用の格納部１５を備え、利用者がバッテリを格納部１５に挿入するとバッテリ７をロックし（状態Ｓ４）、返却されたバッテリ７の識別番号及び固有情報を読み取り（状態Ｓ５）、バッテリ識別番号のチェックを行い（状態Ｓ６）、新たなバッテリを貸出し可能かどうかを調べる。
無人自動バッテリ・レンタル装置１は、使用済みのバッテリ７が返却用の格納部１５に返却され、バッテリ７に付加されているロックピン１２がロックされる位置まで挿入され、ロックピン１２がロックされたことを確認する。
【００２３】
識別番号上問題がある場合は、ディスプレイ装置１７と可聴表示器１７ａで使用が不可能な理由を伝え（状態Ｓ１３）、バッテリのレンタルサービスを提供せず、返却バッテリ７を当該利用者に返却する要否を判断する（状態Ｓ１４）。
盗難バッテリの場合や料金滞納の場合はバッテリ７をロックピン１２でロックしたままとするが、レンタルとは無関係なバッテリの場合は当該バッテリのロックを解除し（状態Ｓ１５）、格納部１５から当該バッテリを返却する。
識別番号上問題のないレンタル用のバッテリであること（例えば盗難バッテリでないこと、使用料金の滞納等がないこと）がわかると、返却バッテリ７の使用量をチェックして検出し（状態Ｓ７）、利用する手順を更にディスプレイ装置１７と可聴表示器１７ａで利用者に伝える。
【００２４】
また、返却された使用済みバッテリ７の貸出時の残量と現在の残量を、バッテリの記憶手段又は中央管理装置３から読み出し、使用量を計算し、使用料金や最新レンタル日時等をディスプレイ装置１７と可聴表示器１７ａで知らせるとともに、返却されたバッテリの識別番号と使用料金を記憶する。
無人自動バッテリ・レンタル装置１は、多段に配列されているレンタル用バッテリ７の中から、レンタルサービスができるフル充電済み又は残量が７０％以上の使用可能なバッテリ７の格納部１５をディスプレイ装置１７と可聴表示器１７ａで知らせる（状態Ｓ８）。
例えば、「お客様がご使用された電気料金は、５００円です。２番目のベイ（又は格納部）のバッテリをお取り下さい。」という音声案内を行う。
【００２５】
また、貸し出す貸出バッテリ７のバッテリ識別番号とバッテリ残量を記憶する（状態Ｓ９）。
貸出バッテリ７には、当該バッテリのバッテリ残量を記憶させ（状態Ｓ１０）、レンタルサービスする貸出バッテリ７に付加されているロックピン１２のロックを解除して（状態Ｓ１１）、利用者が容易にバッテリ７を格納部１５から抜き出せるようにする。なお、状態Ｓ８は、状態Ｓ１１の直後に設けてもよい。
バッテリ７が抜き出されたら、例えば「ご利用有難うございました。」という操作完了の音声案内を行う（状態Ｓ１２）。
【００２６】
無人自動バッテリ・レンタル装置１は、返却された使用済みのバッテリ７の返却日時、使用料金、レンタル回数および最新レンタル日時等と充電するための固有の電気的データ情報をも記憶し、このデータを通信回線２を介して中央管理装置３に伝送する。更にバッテリ７の使用量又は残量を伝送してもよい。
この際、バッテリ自体に通信手段を備えている場合は、バッテリ内の通信手段に無人自動バッテリ・レンタル装置１から電源を供給し、通信を行ってもよい。
また、中央管理装置３からデータ情報に対応する電気的処理方法の情報を受け、受けた情報の情報命令にしたがって電気的処理を行うとともに電気的処理を行った結果のデータ情報を、再度通信回線２を介して中央管理装置３に伝送する。
【００２７】
また、警報装置１６を備え、何らかのトラブル時には警報音を発し、さらに緊急時には、インターホン呼出スイッチ２１により、中央管理装置３の設置場所や契約しているバッテリ・レンタルシステム会社と交信連絡ができるようになっている。
【００２８】
図３は、無人自動バッテリ・レンタル装置の要部ブロック構成図である。
無人自動バッテリ・レンタル装置１は、制御手段１８と通信手段１９とを備える。制御手段１８は、情報認識手段４と情報発信手段５とを備える。
【００２９】
情報認識手段４は、飽和特性、オーバーライト、分解能、再生出力等の回路および磁気ヘッドからなるリーダ／ライタ等を備えて構成する。これにより、バッテリ７の記憶情報にアクセスすることができる。
情報認識手段４は、バッテリ内の通信手段７Ｔと情報を双方向に伝送し、バッテリ識別番号のチェックを情報認識手段４のリーダで行い、バッテリ７が正常なレンタル状態かどうかを調べる。
【００３０】
情報認識手段４は、バッテリ７が正常なレンタル状態であることがわかると、バッテリ７に記憶された利用者のレンタルＩＤ、最新レンタル年月日時、更新日等のリード信号Ｓｒをリーダで読み取り、これらの情報およびデータの認識信号Ｓｄを情報発信手段５に供給する。
【００３１】
更に、貸出し用の貸出バッテリ７に対し、最新レンタルの年月日時、バッテリ残量等をライト信号Ｓｗによりライタで貸出バッテリに書き込み、これらの情報およびデータの認識信号Ｓｄを情報発信手段５に供給する。
貸出し前には、そのバッテリの識別番号、バッテリ残量、その他バッテリの使用履歴等をリード信号Ｓｒ，Ｉｂをリーダで読み取り、情報発信手段５に認識信号Ｓｄ，Ｉｓを供給する。
【００３２】
情報発信手段５は、ＬＣＤ，ＣＲＴ，ＬＥＤ，ＥＬ等のディスプレイ装置１７と、スピーカ等の可聴表示器１７ａと、格納部１５の上部にＬＥＤ，ランプ等で表示する格納部表示灯１５ａと、に各々を制御する信号Ｄｓ，Ｓｓ，Ｆｓを供給する。
情報発信手段５は、表示信号Ｄｓをディスプレイ装置１７に供給する。
情報発信手段５は、音声信号Ｓｓを可聴表示器１７ａに供給する。
情報発信手段５は、点滅信号Ｆｓを格納部表示灯１５ａに供給する。
【００３３】
情報認識手段４は、バッテリ７内の記憶手段７Ａに記憶されている当該バッテリの使用履歴のデータも読み取る。
また、端子コネクタ（不図示）を備え、バッテリ７の電気的特性の測定と充電を行う。
【００３４】
情報認識手段４は、バッテリ７の端子９，１０，１１（図４参照）等に対応する端子コネクタからバッテリ残量等を測定し電池信号Ｉｂを得て、この電池信号Ｉｂに対応して充電に必要な処理を、バッテリ７の端子９，１１に対応する端子コネクタからチャージ信号Ｃｂで行う。
【００３５】
情報認識手段４は、バッテリ温度、記憶手段７Ａの記憶情報などのバッテリ７の固有情報を電池信号Ｉｂでも得る。
情報認識手段４は、バッテリ７から読み取った固有情報を情報信号Ｉｓとして情報発信手段５に供給する。
【００３６】
無人自動バッテリ・レンタル装置１の通信手段１９は、変調回路、クロック回路、発信回路およびフォトカプラ等で構成した、例えばモデムのような双方向性の伝送器からなる。
通信手段１９は、情報認識手段４からのリード信号Ｓｒや情報認識手段４からの電池信号Ｉｂからなる情報信号Ｍｔを変調し、たとえばパルス信号等として送信信号Ｃｓを通信回線２を介して中央管理装置３に供給する。
【００３７】
また、中央管理装置３から通信回線２を介して供給される、例えばパルス信号等の受信信号Ｂｓを復調して処理信号Ｍｒを制御手段１８に供給する。
処理信号Ｍｒに基づいて、制御手段１８内の情報認識手段４はバッテリ７にチャージ信号Ｃｂを供給する。
一方、所定期間内の充放電回数が余りに多い場合は、当該バッテリ７の充電を行わないようにしてもよく、又は当該利用者にバッテリ７のレンタルサービスを行わないようにしてもよい。
【００３８】
中央管理装置３は、無人自動バッテリ・レンタル装置１でのデータについての送信信号Ｃｓを通信回線２を介して受け、および無人自動バッテリ・レンタル装置１に必要なデータについての受信信号Ｂｓを通信回線２を介して無人自動バッテリ・レンタル装置１に供給する。
【００３９】
中央管理装置３は、コンピュータを備えて集中管理を行い、利用者、レンタルバッテリ、無人自動バッテリ・レンタル装置１、バッテリ７の充電のための測定と実行命令、バッテリ寿命、使用料金の徴収等の管理を行う。
中央管理装置３は、利用者のレンタルＩＤ、貸出バッテリの識別番号及び貸出時の残量、返却時の残量、使用量、住所、年齢、電話番号、性別、契約口座、レンタル回数、使用料金等をレンタル者の情報としてデータベース管理を行う。
中央管理装置３は、バッテリの売上、利用回数、充放電回数、充電日時、充放電量とこれらのデータからの寿命および交換の要否等のバッテリのデータベース管理を行う。
その他、各無人自動バッテリ・レンタル装置１の稼働率および回転率、利用者の行動範囲およびパターンにより利用実態と今後の事業展開等のデータを管理する。
【００４０】
図４は、バッテリを格納部に格納する状態を説明する簡易説明図である。
バッテリ７は、電源供給用プラス端子９と、電気測定用端子１０と、電源供給用マイナス端子１１と、を備える。
また、無人自動バッテリ・レンタル装置１のバッテリ格納部１５からバッテリ７を抜き出す時につかむハンドル１３と、機械的なロック用のロックピン１２と、を備える。
なお、電気測定用端子１０は複数の端子から構成してもよい。
【００４１】
記憶手段７Ａは、バッテリ７の識別番号及び固有情報を記憶する。
固有情報は、返却日時、充放電回数、レンタル日時（貸出日時）、バッテリ温度、バッテリ残量のデータ等からなる。バッテリ識別番号は、製造番号及び製造年月日等からなる。
なお、固有情報にバッテリ識別番号を含めてもよく、固有情報にレンタルＩＤを含めてもよい。
バッテリ７の固有情報は、電気測定用端子１０を介して情報発信手段５と通信手段１９との通信により、無人自動バッテリ・レンタル装置１に供給される。
電源供給用プラス端子９と電源供給用マイナス端子１１を用いて、バッテリ残量の測定や充電が行われる。
【００４２】
バッテリ７はロックピン１２を備え、無人自動バッテリ・レンタル装置１の返却用の格納部１５に挿入すると機械的にロックピン１２が引き起こされ、バッテリ７がロックされる。
また、充電済みのバッテリ７は、無人自動バッテリ・レンタル装置１の解除信号に基づいて格納部１５内の戻し金具によってロックピン１２が押し戻され、充電済みのバッテリ７は格納部１５から容易にハンドル１３で抜き出せる。
【００４３】
図４（ａ）は、格納部表示灯１５ａが点滅している格納部１５に返却用の使用済みバッテリ７を挿入する状態を説明する説明図である。
図４（ｂ）は、挿入する途中の状態を説明する説明図であり、ロックピン１２が図４（ｄ）に示すようには突起していない状態である。
図４（ｃ）は、返却用の使用済みバッテリ７が完全に押し込まれた状態を説明する説明図であり、ロックピン１２が突起してロックされた状態である。
【００４４】
バッテリ７の側面にバーコードを張り付け、無人自動バッテリ・レンタル装置（バッテリ交換装置）１にバーコードリーダを備えて、バッテリ７を識別するための情報を更に付加してもよい。
【００４５】
このように、バッテリ・レンタルシステムは、無人自動バッテリ・レンタル装置１が利用者を認識すると、利用者に情報発信手段５により音声とディスプレイ装置１７で使用手順と返却用のバッテリ格納部１５とを伝えるとともに、返却用格納部１５の上部の格納部表示灯１５ａを点滅させる。
【００４６】
また、バッテリ・レンタルシステムは、返却用の使用済みバッテリ７が挿入され、ロックピン１２でロックされたことを確認すると、情報認識手段４で返却用の使用済みバッテリ７のバッテリ識別番号及び貸出時のバッテリ残量を認識し、現在のバッテリ残量をバッテリ端子から測定し、電気料金を音声とディスプレイ装置１７で利用者に知らせる。
【００４７】
更に、バッテリ・レンタルシステムは、再度音声とディスプレイ装置１７で利用者に充電済みのバッテリ７が格納されている格納部１５を知らせ、格納部１５の上部の格納部表示灯１５ａを点滅させて知らせると共に、充電済みのバッテリ７のロックピン１２を解除する。
また、充電済みのバッテリ７の貸出時の残量をライタでバッテリ７に記憶させ、バッテリ識別番号、貸出時の残量とレンタル日時や返却日時やバッテリの使用料金を記憶し、利用者に再度音声とディスプレイ装置で操作完了等の伝言を出力する。
【００４８】
図８は、バッテリ７の簡易構成図である。
バッテリ７は、制御回路７Ｃと、バッテリ本体７Ｂと、温度センサ７Ｄと、記憶手段７Ａと、送受信部７Ｅと、ヒューズ７Ｆと、を備える。
また、電源供給用プラス端子９と、電気測定用端子１０と、電源供給用マイナス端子（接地用端子）１１と、を備える。
【００４９】
電源供給用プラス端子９は、ヒューズ７Ｆを介して制御回路７Ｃ及びバッテリ本体７Ｂに接続される。
バッテリ本体７Ｂは、繰り返し充電が可能なニッケル−カドミウム電池等からなる。
【００５０】
制御回路７Ｃは複数個のＬＥＤ又はバーグラフメータを備え、バッテリ本体７Ｂのバッテリ残量を検出して、前記ＬＥＤ又はバーグラフメータで表示すると共に、バッテリ残量を示す残量検出信号を送受信部７Ｅに供給する。
制御回路７Ｃは、バッテリ本体７Ｂの異常を検出して、異常検出信号を送受信部７Ｅに供給する。
バッテリ本体７Ｂのマイナス端子は制御回路７Ｃに接続され、制御回路７Ｃ内のショート用抵抗（シャント抵抗）を介して電源供給用マイナス端子１１に接続されている。
【００５１】
記憶手段７Ａは、バッテリ７の使用履歴を記憶するメモリ７ＡＪと、バッテリ識別番号を記憶するメモリ７ＡＩとを備えてなる。
メモリ７ＡＪは使用履歴として、返却日時を記憶してもよく、一定期間内の充放電回数を記憶してもよく、レンタル日時（貸出日時）を記憶してもよく、これらを組み合わせて記憶してもよい。
記憶手段７Ａは、メモリ７ＡＪ又はメモリ７ＡＩに固有情報（残量（貸出し時残量、現在の残量）、充放電回数、使用回数等）をも記憶するようにしてもよい。
【００５２】
制御回路７Ｃは、バッテリ本体７Ｂの端子間電圧を監視して、バッテリ本体７Ｂが充電されたことを検出すると、フル充電を示す充電検出信号をメモリ７ＡＪに供給する。メモリ７ＡＪは、充電検出信号を受けたことを記憶する。
温度センサ７Ｄは、バッテリ本体７Ｂの温度を検出して、当該温度を示す温度検出信号を送受信部７Ｅに供給する。
記憶手段７Ａの使用履歴のデータ及びバッテリ識別番号のデータは、送受信部７Ｅからアクセスできるようになっている。
【００５３】
送受信部７Ｅは、メモリ７ＡＪからの使用履歴のデータ、メモリ７ＡＩからのバッテリ識別番号のデータ、制御回路７Ｃからの故障検出信号及び残量検出信号に基づくデータ、温度センサ７Ｄからの温度検出信号に基づくデータ等、又は記憶手段７Ａの記憶情報等を電気測定用端子１０を介して、バッテリ７の外部に伝送する。
但し、制御回路７Ｃは、残量検出信号を送受信部７Ｅに供給しない構成とし、バッテリ残量は無人自動バッテリ・レンタル装置１で端子コネクタを介して検出する構成としてもよい。
【００５４】
図９は、送受信部７Ｅの簡易構成図である。
送受信部７Ｅは、リレーＲＹと、ダイオードＤと、ツェナーダイオードＺＤと、抵抗Ｒと、電界コンデンサＣｅと、コンデンサＣと、トランジスタＴｒと、通信手段７Ｔと、を備えている。
【００５５】
リレーＲＹの共通接点は電気測定用端子１０に接続され、リレーＲＹのブレーク接点は温度センサ７Ｄに接続され、リレーＲＹのメーク接点は通信手段７ＴのＱ端子に接続されている。
【００５６】
電気測定用端子１０には、温度センサ７Ｄの出力信号が供給される。
一方、電気測定用端子１０に、外部（例えば無人自動バッテリ・レンタル装置１）から短時間だけ降伏電圧を超えるプラス電位を与えると、電界コンデンサＣｅが充電されると共に、通信手段７Ｔの電源用端子Ｖに電圧が印加されて通信手段７Ｔが起動される。
この電界コンデンサＣｅを電源としてその充放電を利用し、抵抗Ｒ及びコンデンサＣで決まる所定時間だけトランジスタＴｒをオンすることで、前記所定時間だけリレーＲＹをオンする。
【００５７】
すると、リレーＲＹの可動部が移動して温度センサ７Ｄと電気測定用端子１０が遮断され、電気測定用端子１０と通信手段７Ｔの通信用端子Ｑが前記所定時間だけ接続される。
電気測定用端子１０からは、通信手段７Ｔを介して、記憶手段７Ａのデータ（又は記憶情報）と制御回路７Ｃからのデータ（又は制御回路７Ｃ本体）に、前記所定時間の間にアクセス可能となる。
【００５８】
図１０は、電動車両用のバッテリの他の例の簡易構成図である。
このバッテリ８は、制御回路７Ｃと、バッテリ本体７Ｂと、温度センサ７Ｄと、記憶手段７Ａと、通信手段７Ｔと、ヒューズ７Ｆと、を備える。
また、電源供給用プラス端子９と、電気測定用端子１０と、電源供給用マイナス端子（接地用端子）１１と、を備える。
図１０の電気測定用端子１０は複数の端子からなり、通信手段７Ｔの電源供給用の端子７Ｖと、通信手段７Ｔの通信用端子Ｑに接続された端子７Ｑと、温度センサ７Ｄからの温度検出信号７Ｓを出力する端子７Ｓと、からなる。
【００５９】
電源供給用プラス端子９は、ヒューズ７Ｆを介して制御回路７Ｃ及びバッテリ本体７Ｂに接続される。
バッテリ本体７Ｂは、繰り返し充電が可能なニッケル−カドミウム電池等からなる。
【００６０】
制御回路７Ｃは複数個のＬＥＤ又はバーグラフメータを備え、バッテリ本体７Ｂのバッテリ残量を検出して、前記ＬＥＤ又はバーグラフメータで表示するとともに、バッテリ残量を示す残量検出信号を通信手段７Ｔ（の端子Ｄ３）に供給する。
制御回路７Ｃは、バッテリ本体７Ｂの異常を検出して、異常検出信号を通信手段７Ｔ（の端子Ｄ３）に供給する。
バッテリ本体７Ｂのマイナス端子は制御回路７Ｃに接続され、制御回路７Ｃ内のショート用抵抗（シャント抵抗）を介して電源供給用マイナス端子１１に接続されている。
但し、制御回路７Ｃは、残量検出信号を通信手段７Ｔに供給しない構成とし、バッテリ残量は無人自動バッテリ・レンタル装置１で端子コネクタを介して検出する構成としてもよい。
【００６１】
記憶手段７Ａは、バッテリ７の使用履歴を記憶するメモリ７ＡＪと、バッテリ識別番号を記憶するメモリ７ＡＩとを備えてなる。
メモリ７ＡＪは使用履歴として、返却日時を記憶してもよく、一定期間内の充放電回数を記憶してもよく、レンタル日時（貸出日時）を記憶してもよく、これらを組み合わせて記憶してもよい。
記憶手段７Ａは、メモリ７ＡＪ又はメモリ７ＡＩに固有情報（残量（貸出し時残量、現在の残量）、充放電回数、使用回数等）をも記憶するようにしてもよい。
【００６２】
制御回路７Ｃは、バッテリ本体７Ｂの端子間電圧を監視して、バッテリ本体７Ｂが充電されたことを検出すると、フル充電を示す充電検出信号をメモリ７ＡＪに供給する。
温度センサ７Ｄは、バッテリ本体７Ｂの温度を検出して、当該温度を示す温度検出信号を端子７Ｓに出力する。
記憶手段７Ａの使用履歴のデータ及びバッテリ識別番号のデータは、通信手段７Ｔからアクセスできるようになっている。
【００６３】
通信手段７Ｔは、メモリ７ＡＪからの使用履歴のデータ、メモリ７ＡＩからのバッテリ識別番号のデータ、制御回路７Ｃからの故障検出信号及び残量検出信号に基づくデータ、温度センサ７Ｄからの温度検出信号に基づくデータ等又は記憶手段７Ａの記憶情報を電気測定用端子１０（特に端子７Ｑと端子７Ｓ）を介して、バッテリ７の外部に伝送する。
例えば、無人自動バッテリ・レンタル装置１に伝送する構成としてもよく、中央管理装置３に直接に伝送する構成としてもよい。
【００６４】
図１のバッテリ・レンタルシステムによれば、バッテリは、少なくとも当該バッテリの識別番号を記憶し、中央管理装置では、レンタル者とレンタルされた（貸し出された）バッテリの識別番号および返却されたバッテリの使用量を記憶するので、バッテリの返却・貸出し時にレンタル者ＩＤ等を入力したり、ＩＤカードを挿入したりする手間が不要となり、複数のバッテリをレンタル者が共通使用することをスムーズに行うことができる。
【００６５】
図１のバッテリ・レンタルシステムによれば、バッテリに通信手段を備えることで、複数のレンタル者のバッテリの返却・貸出しの際に、各々の通信手段がそれぞれに中央管理装置にアクセスできるため、返却・貸出し作業をスムーズに行うことができる。
【００６６】
図１のバッテリ・レンタルシステムによれば、バッテリは当該バッテリの使用履歴を記憶しているので、返却されたバッテリの使用量を速やかに中央管理装置が記憶することができる上に、所定期間における各バッテリの充放電回数および使用回数を検知することができ、バッテリの貸出しを速やかに行うことができると共に、バッテリのメンテナンスに役立てることもできる。
また、レンタル者が自己の充電器で充電をした場合等の履歴も正確に把握できるので、バッテリのメンテナンスにいっそう有利である。
【００６７】
図１のバッテリ・レンタルシステムによれば、切換手段は温度センサからの出力信号と通信手段からの出力信号とを切り換えて出力するので、バッテリの端子を共通化して、バッテリの端子数を減らすことができる。
【００６８】
図１のバッテリ・レンタルシステムによれば、バッテリ交換装置から供給される電源によって通信手段が駆動されるので、バッテリ自体の電圧が低い場合であっても、通信手段の動作の信頼性を向上でき、通信手段からの情報の信頼性を向上させることができる。
【００６９】
図１１は、本発明に係るバッテリ充電装置の簡易構成図であり、本発明に係るバッテリ充電装置を無人自動バッテリ・レンタル装置１の情報認識手段４は備える。
図１１のバッテリ充電装置４０は、時計４２と、スイッチ４３と、充電制御手段４４と、夜間電力を蓄電する蓄電手電４５と、リレー等の切換スイッチ４６と、充電制御手段４７と、を備える。蓄電手電４５は、バッテリ又はコンデンサを備えて構成してもよい。
バッテリ充電装置４０は、蓄電手段４５に蓄電された夜間電力により、電動車両用等のバッテリ７をチャージ信号Ｃｂで充電する。
【００７０】
バッテリ充電装置４０には、送電線３１，３２に接続された電力ケーブル３３を介して商用電源が供給される。なお、図中の符号３０は電柱である。
【００７１】
時計４２は、夜間には夜間信号Ｃ１をスイッチ４３に供給する。
時計４２は、昼間には夜間信号Ｃ１をスイッチ４３に供給しない。
【００７２】
スイッチ４３は、夜間信号Ｃ１の供給がない場合は、オフして電力ケーブル３３と充電制御手段４４とを遮断する。
スイッチ４３は、夜間信号Ｃ１の供給がある場合は、オンして電力ケーブル３３と充電制御手段４４とを接続し、商用電源を充電制御手段４４に供給する。
【００７３】
充電制御手段４４は、商用電源を交流から直流に整流して夜間電力を蓄電手段４５に供給すると共に、蓄電手段４５に蓄電されている電力を計測するよう構成されている。
【００７４】
切換スイッチ４６のブレーク接点は、蓄電手段４５の出力端子に接続されている。
切換スイッチ４６のメーク接点は、電源ケーブル３３に接続されている。
切換スイッチ４６の共通接点は、充電制御手段４７に接続されている。
【００７５】
充電制御手段４７は、切換スイッチ４６からの商用電源を交流から直流に整流して電力をバッテリ７に供給して充電すると共に、バッテリ７に蓄積されている電力を計測するよう構成されている。
また、計測した電力を示す電力検出信号Ｄｋを充電制御手段４４に供給する。
【００７６】
充電制御手段４４は、電力検出信号Ｄｋに基づいてバッテリ７の充電量（又は残量）を認識し、蓄電手段４５に蓄電されている電力ではバッテリ７を充分に（いわゆる満タンの状態に）充電できないことを検出すると、不足検出信号Ａを切換スイッチ４６及び充電制御手段４７に供給する。
充電制御手段４４は、電力検出信号Ｄｋに基づいてバッテリ７を充分に充電できること又は充分に充電されたことを検出すると、不足検出信号Ａを切換スイッチ４６及び充電制御手段４７に供給しない。
【００７７】
切換スイッチ４６は、不足検出信号Ａの供給がある場合は、オンして商用電源を充電制御手段４７に供給する。
切換スイッチ４６は、不足検出信号Ａの供給がない場合は、オフして蓄電手段４５に蓄えられた夜間電力を充電制御手段４７に供給する。
【００７８】
充電制御手段４７は、不足検出信号Ａの供給がある場合は、商用電源を用いてバッテリ７を充電する。従って、夜間ではバッテリ充電装置４０は、バッテリ７と蓄電手段４５とを同時に充電する構成になる。
充電制御手段４７は、不足検出信号Ａの供給がない場合は、蓄電手段４５からの夜間電力を用いてバッテリ７を充電する。
【００７９】
図１２は、本発明のバッテリ充電装置の他の例の簡易構成図である。
このバッテリ充電装置４１は、図１１のバッテリ充電装置４０に対し、時計４２からの夜明前信号Ｃ２と不足検出信号ＡとをＯＲ回路４８により論理和を行い、ＯＲ回路４８の出力信号Ｂを切換スイッチ４６及び充電制御手段４７に供給するよう、構成を変更したものである。
【００８０】
時計４２は、深夜から昼間に至る時間では夜明前信号Ｃ２をＯＲ回路４８に供給する。
時計４２は、深夜から昼間に至る時間以外では夜明前信号Ｃ２をＯＲ回路４８に供給しない。
ＯＲ回路４８は、夜明前信号Ｃ２又は不足検出信号Ａが供給されると、出力信号Ｂを切換スイッチ４６及び充電制御手段４７に供給する。
【００８１】
切換スイッチ４６は、出力信号Ｂの供給がある場合は、オンして商用電源を充電制御手段４７に供給する。
切換スイッチ４６は、出力信号Ｂの供給がない場合は、オフして蓄電手段４５に蓄えられた夜間電力を充電制御手段４７に供給する。
【００８２】
充電制御手段４７は、出力信号Ｂの供給がある場合は、商用電源を用いてバッテリ７を充電する。従って、深夜から昼間に至る時間では、商用電源を用いてバッテリ７を充電する構成になる。
充電制御手段４７は、出力信号Ｂの供給がない場合は、蓄電手段４５からの夜間電力を用いてバッテリ７を充電する。
【００８３】
本実施形態では、電動車両のバッテリ７を充電する例を説明したが、電気自動車用又は電動自動二輪車の車載バッテリを充電してもよく、電動アシスト自転車の駆動用バッテリを充電してもよい。
【００８４】
【発明の効果】
本発明のバッテリ充電装置によれば、夜間電力を用いて蓄電手段に蓄電し、その電力を使ってバッテリを充電するので、夜間電力を昼間に利用することができる上、昼間の電力消費を抑えることができ、電力消費の平準化を図ることができる。
更に、夜間電力料金が昼間に比べて安いことから、利用者又はバッテリ・レンタルシステムのレンタル者への課金も安くすることができる。
【００８５】
本発明のバッテリ充電装置によれば、蓄電手段に蓄えられた有限な夜間電力がバッテリの充電に不足する場合でも、蓄電手段と商用電源によりバッテリを充分に充電することができる。
従って、多くのバッテリを充電する必要が生じても当該多くのバッテリを充分に充電することができる。
【００８６】
本発明のバッテリ充電装置によれば、蓄電手段に蓄電された深夜電力が、昼間に致る前にバッテリ充電に用いられて夜間に消費されることを防止することができる。
【図面の簡単な説明】
【図１】バッテリ・レンタルシステムの全体の簡易構成図
【図２】無人自動バッテリ・レンタル装置（バッテリ交換装置）の簡易構成図
【図３】無人自動バッテリ・レンタル装置（バッテリ交換装置）の要部ブロック構成図
【図４】無人自動バッテリ・レンタル装置（バッテリ交換装置）の格納部にバッテリを格納する状態を説明する簡易説明図
【図５】無人自動バッテリ・レンタル装置（バッテリ交換装置）の簡易動作フロー図
【図６】無人自動バッテリ・レンタル装置（バッテリ交換装置）の簡易動作フロー図
【図７】無人自動バッテリ・レンタル装置（バッテリ交換装置）の簡易動作フロー図
【図８】電動車両用のバッテリの簡易構成図
【図９】図８のバッテリの送受信部の簡易構成図
【図１０】電動車両用のバッテリの簡易構成図
【図１１】本発明に係るバッテリ充電装置の簡易構成図
【図１２】本発明に係るバッテリ充電装置の簡易構成図
【符号の説明】
１…無人自動バッテリ・レンタル装置（バッテリ交換装置）、２…通信回線、３…中央管理装置、４…情報認識手段、５…情報発信手段、７，８…バッテリ、７Ａ…記憶手段、７Ｅ…送受信部、７Ｔ…通信手段、９…電源供給用プラス端子、１０…電気測定用端子、１１…電源供給用マイナス端子、１２…ロックピン、１３…ハンドル、１５…バッテリ格納部、１５ａ…格納部表示灯、１６…警報装置、１７…ディスプレイ装置、１７ａ…スピーカ等の可聴表示器、１８…制御手段、１９…通信手段、２０…人検知センサ、２１…インターホン呼出スイッチ、２２…照明機器、３０…電柱、３１，３２…送電線、３３…電力ケーブル、４０，４１…バッテリ充電装置、４２…時計、４３…スイッチ、４４，４７…充電制御手段、４５…充電手段、４６…リレー等の切換スイッチ、４８…ＯＲ回路、Ａ…不足検出信号、Ｂ…ＯＲ回路４８の出力信号、Ｂｓ…受信信号、Ｃ１…夜間信号、Ｃ２…夜明前信号、Ｃｂ…チャージ信号、Ｃｓ…送信信号、Ｄｋ…電力検出信号、Ｄｓ…表示信号、Ｆｓ…点滅信号、Ｉｂ…電池信号、Ｉｓ…情報信号、Ｍｒ…処理信号、Ｍｔ…情報信号、Ｓｄ…認識信号、Ｓｒ…リード信号、Ｓｓ…音声信号、Ｓｗ…ライト信号。
【図１】
0003715089.tif 000002
【図２】
0003715089.tif 000003
【図３】
0003715089.tif 000004
【図４】
0003715089.tif 000005
【図５】
0003715089.tif 000006
【図６】
0003715089.tif 000007
【図７】
0003715089.tif 000008
【図８】
0003715089.tif 000009
【図９】
0003715089.tif 000010
【図１０】
0003715089.tif 000011
【図１１】
0003715089.tif 000012
【図１２】
0003715089.tif 000013